(57)【要約】【課題】中空針を着脱可能に保持する治具であって、簡単な操作で着脱が行え、かつ、中空針を取り付ける際に針の外側を汚染させる危険性を低減した治具を提供する。【解決手段】中空針（１２）を歯間（５６ａ，５６ｂ，５７ａ，５７ｂ）に受け入れ可能なフォーク状頭部（５）と、中空針の側面を前記歯間にてフォーク状頭部の基端部（５１）に押圧して、中空針を自身と基端部との間に挟持する押圧片（６）とを備えてなる針保持用治具。該治具は、中空針を自身と基端部との間に押圧部（６２）を介して挟持した状態で押圧片を固定するストッパー（７１）を備えてよい。押圧部は、押圧片に揺動可能に取り付けられてよい。フォーク状頭部は、平行して配置された一対のフォーク状部を備え、押圧片は前記一対のフォーク状部の間に配置されてよい。フォーク状頭部は２以上の歯間（５６ａ，５７ａ）を備えて、２本以上の中空針を保持できるようにしてもよい。【選択図】図１
2014014893.tif 000002
【特許請求の範囲】
【請求項１】
中空針（１２）を歯間（５６ａ，５６ｂ，５７ａ，５７ｂ）に受け入れ可能なフォーク状頭部（５）と、中空針（１２）の側面を前記歯間（５６ａ，５６ｂ，５７ａ，５７ｂ）にて前記フォーク状頭部（５）の基端部（５１）に押圧して、中空針（１２）を自身と前記基端部（５１）との間に挟持する押圧片（６）とを備えてなる針保持用治具。
【請求項２】
中空針（１２）を自身と前記基端部（５１）との間に挟持した状態で前記押圧片（６）を固定するストッパー（７１）を備えている、請求項１に記載の針保持用治具。
【請求項３】
前記押圧片（６）は、前記基端部（５１）に対向する凹部（６４）を備えた基部（６０）と、前記凹部（６４）内に揺動可能に取り付けられた押圧部（６２）とを備え、前記基部（６０）は、前記フォーク状頭部（５）に回転可能に取り付けられている、請求項２に記載の針保持用治具。
【請求項４】
前記フォーク状頭部（５）は、平行して配置された一対の歯部を備え、前記押圧片（６）は前記一対の歯部の間に配置されている、請求項３に記載の針保持用治具。
【請求項５】
前記フォーク状頭部（５）は２以上の歯間（５６ａ，５７ａ）を備えて、２本以上の中空針（１２）を保持できるようにされた、請求項１乃至４の何れか1項に記載の針保持用治具。
【発明の詳細な説明】
【技術分野】
【０００１】
本発明は、自動合成装置、自動分析装置等の機器において薬剤の注入又は吸引用に用いられる中空針を着脱自在に保持する治具に関する。
【背景技術】
【０００２】
放射性医薬品の製造は、作業者の放射線被曝を防止しながら、異物の混入を防止しつつ、短時間で行う必要があるので、通常、自動合成装置を用いて遠隔的に行われている。かかる自動合成装置では、反応器に直接に薬剤を注入するために中空針が使用され、例えば、特許文献1には、駆動装置によって駆動される保持部に複数の中空針を保持させて、これら中空針の移動を自動制御できるようにした構成が開示されている。
【０００３】
従来、中空針の保持部を構成する治具としては、例えば、図４に示されるように、板材２１の横断方向に形成された溝２２ａ，２２ｂに中空針１１をその先端から挿通させて該溝２２ａ，２２ｂに沿って配置させた後、ねじ２３を締めることで該板材２１に対向して配置された別の板材２４ａ，２４ｂを中空針１１に押圧することで、板材２１及び板材２４ａ又は２４ｂの間に中空針１１を挟持するようにした、万力あるいはクランプタイプの治具が用いられている。そして、この治具を駆動装置で動かすことにより、治具に固定された中空針１１を反応容器のゴム栓に突き刺して貫通させることで、反応容器に薬剤を注入又は吸引できるようにしている。図４の治具の場合、板材２１の両側に溝２２ａ，２２ｂが形成されており、両溝２２ａ，２２ｂのそれぞれに対向する板材２４ａ，２４ｂが設けられているので、２本の中空針１１を互いに間隔をおいて一緒にゴム栓に突き刺すことができる。
【０００４】
一方、中空針は、医療行為で用いられる注射針と同様に、金属のストレート管の先端部を斜めに切断して研磨することにより作成されている。この中空針をゴム栓に突き刺し貫通させるとき、中空針のヒール部でゴム栓の一部が切り取られる現象、すなわち、所謂コアリングと呼ばれる現象が発生することが知られている。そこで、近年、このコアリングを防止するために、先端が曲がったノンコアリングニードル（所謂ヒューバー針）が考案され広く使用されるようになってきた。しかし、図４の治具の場合、従来のストレート針用に狭い溝２２ａ，２２ｂが作られているので、先端が曲がったノンコアリングニードルを挿入することができない。
【０００５】
一方、図５の治具のように、溝２２ａ，２２ｂの幅を広くすれば、中空針１２がノンコアリングニードルであっても挿入できるが、溝２２ａ，２２ｂの幅が広いため中空針１２を治具に対して正確な角度で配置させるには、ねじ２３の締め付け時に中空針１２を何らかの手段で保持しておく必要があり、作業が煩雑化する。治具に２本の中空針を装着する場合には、一層の困難を伴う。こうした問題を解決するため、例えば特許文献2のように、溝２２ａ，２２ｂ内に各種アクセサリを供することで、ノンコアリングニードルを含む様々な形態の中空針の固定に対応することが検討されているが、これらアクセサリは単一の中空針をそれぞれの溝内において固定するためのものであり、上記に述べた問題を十分に解決することはできない。
【０００６】
また、図４及び図５のような治具の場合、溝２２ａ，２２ｂを掃除しておかないと、中空針１１，１２を溝２２ａ，２２ｂに挿通させる際に、中空針１１，１２の外側を汚染し、反応容器内の薬剤にコンタミネーションを生じさせる危険性がある。
【先行技術文献】
【特許文献】
【０００７】
【特許文献１】特開２００６−５６７９２号公報
【特許文献２】特表２０１０−５２０８１８号公報
【発明の概要】
【発明が解決しようとする課題】
【０００８】
本発明は、中空針を着脱可能に保持する治具であって、簡単な操作で着脱が行え、かつ、中空針を取り付ける際に針の外側を汚染させる危険性を低減した治具を提供することを目的とする。
【課題を解決するための手段】
【０００９】
本発明者等は、上記の課題を解決するために鋭意検討した結果、治具の頭部の構成及び中空針の保持手段の構成を工夫することにより、上記課題が解決できることを見出し、本発明を完成するに至った。
【００１０】
すなわち、本発明は、中空針を歯間に受け入れ可能なフォーク状頭部と、中空針の側面を前記歯間にて前記フォーク状頭部の基端部に押圧して、中空針を自身と前記基端部との間に挟持する押圧片とを備えてなる針保持用治具を提供する。
【００１１】
本発明の一実施形態によれば、本発明の治具は、中空針を自身と前記基端部との間に挟持した状態で前記押圧片を固定するストッパーを備える。また、本発明の他の実施形態によれば、前記押圧片は、前記基端部に対向する凹部を備えた基部と、前記凹部内に揺動可能に取り付けられた押圧部とを備え、前記基部は、前記フォーク状頭部に回転可能に取り付けられる。また、本発明の更に他の実施形態によれば、前記フォーク状頭部は平行して配置された一対の歯部を備え、前記押圧片は前記一対の歯部の間に配置される。また、本発明の更に他の実施形態によれば、前記フォーク状頭部は２以上の歯間を備えて、２本以上の中空針を保持できるようにされる。
【発明の効果】
【００１２】
本発明によれば、針保持用治具の頭部をフォーク状にして、その歯間に受け入れられた中空針の側面を押圧片を用いてフォーク状頭部の基端部に押圧して挟持するようにしたので、中空針を上下移動させることなく側方に移動させるだけで歯間に配置することができ、中空針の側面を汚染させる危険性が低減し、針先端の汚染が回避される。また、中空針を前記基端部と押圧片との間に挟持する際にも、押圧片を前記基端部に向けて移動させるだけで、中空針は歯間に案内されて基端部に当接し押圧されるので、簡単な操作で中空針を治具に対して適正な角度で配置させることができる。
【図面の簡単な説明】
【００１３】
【図１】本発明の針保持用治具の一実施形態を、中空針を歯間に挿入しようとする状態で示す概略斜視図である。
【図２】図１の針保持用治具の一実施形態を、中空針を保持した状態で示す概略斜視図である。
【図３】図１の押圧片の一実施形態を示す断面図である。
【図４】従来の針保持用治具を示す概略斜視図である。
【図５】図４の針保持用治具を改変した針保持用治具の概略斜視図であり、図４と同様の要素は同様の符号で示してある。
【発明を実施するための形態】
【００１４】
以下、図面を参照しつつ、本発明の針保持用治具の実施形態について説明するが、本発明は当該実施形態のみに限定されるものではない。
【００１５】
図１は、本発明の針保持用治具の一実施形態を示す概略斜視図であり、図１において、符号１２で示されるのはノンコアリングニードルに代表される中空針であり、符号５で全体的に示されるのは針保持用治具のフォーク状頭部である。図１の例では、フォーク状頭部５は、その基端部５１の上下から同方向に突出し互いに平行して配置する１対の同形状の歯部を備え、両歯部の間の空間に、符号６で全体的に示す押圧片が軸６１を中心に回転可能に取り付けられている。
【００１６】
上記１対の歯部は何れも、図の右側に示された幅広の歯５３ａ，５３ｂと、図の左側に示された幅広の歯５４ａ，５４ｂと、これらの幅広の歯の間に配置された幅狭の歯５５ａ，５５ｂを備えている。そして、歯５５ａ，５５ｂと歯５３ａ，５３ｂとの間の歯間５６ａ，５６ｂに一本の中空針１２を収容し、歯５５ａ，５５ｂと歯５４ａ，５４ｂとの間の歯間５７ａ，５７ｂにもう一本の中空針１２を収容できるように構成されている。なお、各歯間５６ａ，５６ｂ，５７ａ，５７ｂの幅は、中空針１２を受け入れるに十分な大きさであればよく、例えば、中空針１２の中央部の外径よりもわずかに大きな寸法であればよい。
【００１７】
押圧片６は、フォーク状頭部５の基端部５１に対向する側面の中央に押圧部６２を備え、押圧片６を上記１対の歯部の間に収容した時（図２参照）、この押圧部６２で中空針１２の側面を押圧する。したがって、この押圧部６２は、中空針１２の側面を損傷しないように、樹脂やゴムなどの比較的軟質な材料で形成してもよい。
【００１８】
図３は、押圧片６の一実施形態を示す断面図である。図３において、押圧片６は、基端部５１に対向する直方体状の凹部６４を備えた基部６０と、凹部６４内に揺動可能に取り付けられた押圧部６２とを備えてなる。押圧部６２は凹部６４に揺動可能に収容される形状と寸法を備えていればよく、図示の例では、凹部６４に相補的な直方体の外形状を備えるが、凹部６４よりもわずかに小さい寸法に形成されている。凹部６４の基端部５１に対向する面にはねじ６７が螺合されている。押圧部６２のねじ６７に対向する面には、ねじ６７の頭部を収容する空洞６５が設けられている。空洞６５の入口は、内方に僅かに張り出した鍔６６を備えて狭窄されており、ねじ６７の頭部を空洞６５内にスナップ式に嵌合できるようにされている。
【００１９】
かくして、図３の押圧片６は、押圧部６２の空洞６５内にねじ６７の頭部をスナップ式に嵌合することにより組み立てられるが、図示のように、ねじ６７の軸と鍔６６との間、空洞６５とねじ６７の頭部との間、および押圧部６２と凹部６４との間にそれぞれ遊びを有するため、押圧部６２は基部６０に対し、水平方向および垂直方向に僅かに揺動可能である。この揺動を許容する条件を満たす限り、空洞６５の形状は特に制限されず、押圧部６２の外形状も直方体以外のものであってもよい。図３の例では鍔６６は空洞６５の内周壁から内方に向けて環状に連続的に張り出すように形状してもよいが、ねじ６７の頭部が空洞６５から容易に離脱しない限り、例えば、鍔６６を断続的な複数の弧状の張出部として形成してもよい。ねじ６７の頭部は、丸皿、トラス、バインドなど、軸部よりも外方に張り出した形状を有するものであればよい。
【００２０】
図１からよく理解できるように、歯５３ａ及び歯５３ｂの間には、これらの歯に平行して、ねじ切りされた軸７２が延在しており、該軸７２にストッパー７１が螺合されている。一方、押圧片６の軸６１から最も遠い側面には、押圧片６を上記１対の歯部の間に収容した時に（図２参照）軸７２を収容するスロット６３が設けられている。かくして、押圧片６を上記１対の歯部の間に収容した時（図２参照）、軸７２に邪魔されることなく、押圧部６２が基端部５１に対向して、押圧片６と基端部５１との間に中空針１２を挟持できるようにしている。
【００２１】
かくして、本発明の針保持用治具は、次のようにして使用することができる。まず、図１に示すように、中空針１２を立てた状態で側方に移動させることによりフォーク状頭部５の先端から歯間５６ａ，５６ｂに挿通させ、必要に応じて、もう一本の中空針１２を同様に歯間５７ａ，５７ｂに挿通させる。そして、押圧片６を軸６１回りに回転させて、上下１対の歯部の間に進入させると、中空針１２は押圧部６２を介して押圧片６に押されて、歯間５６ａ，５６ｂ又は歯間５７ａ，５７ｂに案内されながら基端部５１の方向に移動する。そして、図２に示されるように、中空針１２が基端部５１に当接したところで押圧片６を基端部５１の方向に押圧して、中空針１２を基端部５１と押圧片６との間に押圧部６２を介して挟持する。この時、押圧部６２は押圧片６に対して揺動可能であるため、押圧片６はどちらか一方の中空針に偏重して圧力をかけることなく、二本の中空針に均等に圧力を加えることができる。そして、ストッパー７１を回転させて押圧片６に当接させることにより、押圧部６２の揺動と基部６０の回転を防止し、圧力を均等に加えた状態で、中空針１２を治具に保持させた状態に保つことができる。そして、中空針１２を取り外す際には、ストッパー７１を逆回転させて軸７２の先端部に移動させた後、押圧片６を図１に示す位置まで回転させた後、中空針１２を側方に移動させて歯間５６ａ，５６ｂの開放先端部から取り出せばよい。
【００２２】
このように、本発明の針保持用治具では、中空針１２を歯間５６ａ，５６ｂに沿って側方に移動させるだけでよいので、中空針１２の脱着が容易に行え、また、中空針１２の先端部は治具と接触しないので、中空針１２を反応容器のゴム栓に突き刺して貫通させた場合でも、反応容器の薬剤にコンタミネーションを生じさせる危険性がほとんど無い。
【００２３】
図１及び図２に図示した実施形態では、フォーク状頭部５は上下１対の歯部を備えているが、本発明の治具においては、何れか１つの歯部のみを備えるものであってもよく、または、同様の歯部が３段以上平行して配置されたものであってもよい。また、当該実施形態では、各歯部は３つの歯５３ａ，５４ａ，５５ａ又は５３ｂ，５４ｂ，５５ｂを備えているが、本発明の治具においては、各歯部は２つの歯を備えて１つの歯間が形成されたものであってもよく、または、４つ以上の歯を備えて３つ以上の歯間が形成されたものであってもよい。さらに、フォーク状頭部５と押圧片６の連結方法は、上記軸６１によるものに限定されるものではなく、フォーク状頭部５の形状に応じて適宜変更することができる。また、ストッパー７１も、図示のものに限定されず、例えば、スロット６３が軸７２にスナップ式に嵌合するものや、図示のストッパー７１と軸７２の代わりに押圧片６がフォーク状頭部５とスナップ式に嵌合する形状に形成されたものであってもよい。さらに、ストッパー７１と軸７２の構成を押圧片６に設け、スロット６３の構成をフォーク状頭部５に設けて、中空針１２を自身と基端部５１との間に挟持した状態で押圧片６を固定できるようにしてもよい。
【００２４】
本発明の針保持用治具においては、フォーク状頭部５及び押圧片６の何れも金属、プラスチック等の適当な材料で作成することができる。なお、本発明の針保持用治具は図示及び上述の実施形態に限定されるものではなく、当業者であればその各要素を均等物に置き換えることで上記以外の種々の変形を行うことが可能であることは言うまでもない。
【産業上の利用可能性】
【００２５】
本発明の針保持用治具は、放射線医薬品をはじめその他各種の化合物の合成に用いられる自動合成装置や自動分析装置等の機器等で広く利用できる。
【符号の説明】
【００２６】
１１，１２  中空針
２１  板材
２２ａ，２２ｂ  溝
２３  ねじ
２４ａ，２４ｂ  板材
５  フォーク状頭部
５１  基端部
５３ａ，５３ｂ  歯
５４ａ，５４ｂ  歯
５５ａ，５５ｂ  歯
５６ａ，５６ｂ  歯間
５７ａ，５７ｂ  歯間
６  押圧片
６０  基部
６１  軸
６２  押圧部
６３  スロット
６４  凹部
６５  空洞
６６  鍔
６７  ねじ
７１  ストッパー
７２  軸
【図１】
2014014893.tif 000003
【図２】
2014014893.tif 000004
【図３】
2014014893.tif 000005
【図４】
2014014893.tif 000006
【図５】
2014014893.tif 000007